(57)【要約】      （修正有）【課題】乾燥剤の有無を容易に、且つ確実に検査することが可能な、乾燥剤包装体、食品包装体、食料品に添付される乾燥剤の検査方法、及び食品包装体の製造方法を提供する。【解決手段】本発明に係る乾燥剤包装体２は、食料品とともに外装体に収容される乾燥剤包装体２であって、袋状に形成された包装材と、前記包装材に収容された乾燥剤２３と、を備え、前記包装材及び／又は乾燥剤２３の少なくとも一部に金属を有することを特徴とする。【選択図】図１
2014189322.tif 000002
【特許請求の範囲】
【請求項１】
食料品とともに外装体に収容される乾燥剤包装体であって、
袋状に形成された包装材と、
前記包装材に収容された乾燥剤と、
を備え、
前記包装材及び／又は乾燥剤の少なくとも一部に金属を有することを特徴とする、乾燥剤包装体。
【請求項２】
前記包装材が、金属を含むシート材で形成されている、請求項１に記載の乾燥剤包装体。
【請求項３】
前記金属を含むシート材が、基材フィルムに金属が蒸着されることで形成されている、請求項２に記載の乾燥剤包装体。
【請求項４】
前記包装材は、不透湿性のシート材で形成されるとともに、当該シート材に透湿可能な少なくとも１つの貫通孔が形成されている、請求項２または３に記載の乾燥剤包装体。
【請求項５】
前記乾燥剤が粉末状である、請求項１から４のいずれかに記載の乾燥剤包装体。
【請求項６】
請求項１から５のいずれかに記載の乾燥剤包装体と、
食料品と、
前記乾燥剤包装体及び食料品を収容し、金属を含まない外装体と、
を備えている、食品包装体。
【請求項７】
前記外装体が、袋状のシート材である食品包装体であって、前記乾燥剤包装体の形状が偏平状であり、前記外装体の内面に固定されている、請求項６に記載の食品包装体。
【請求項８】
前記食料品が筒状に形成されており、
前記乾燥剤包装体は、前記外装体の内面と前記食料品との間に配置されている、請求項７に記載の食品包装体。
【請求項９】
前記外装体の表面には、前記食料品に関する商品表示が表示されており、
前記乾燥剤包装体は、前記外装体の内面において、前記商品表示と対応する位置に固定されている、請求項７または８に記載の食品包装体。
【請求項１０】
前記袋状のシート材は、基材フィルムにシリカまたはアルミナが蒸着されることにより形成されている、請求項７から９のいずれかに記載の食品包装体。
【請求項１１】
食料品と、請求項１から５のいずれかに記載の乾燥剤包装体とを外装体に収容するステップと、
前記外装体に収容された前記食料品及び前記乾燥剤包装体を金属探知機に通し、前記乾燥剤包装体の有無を検査するステップと、
を備えている、食料品に添付される乾燥剤の検査方法。
【請求項１２】
食料品を製造するステップと、
前記食料品を第１金属探知機に通し、当該食料品中の金属の有無を検査するステップと、
請求項１から５のいずれかに記載の乾燥剤包装体を準備するステップと、
前記第１金属探知機による検査により金属が検知されなかった前記食料品と前記乾燥剤包装体とを外装体に収容するステップと、
前記外装体に収容された前記食料品及び前記乾燥剤包装体を第２金属探知機に通し、前記乾燥剤包装体の有無を検査するステップと、
を備えている、食品包装体の製造方法。
【発明の詳細な説明】
【技術分野】
【０００１】
本発明は、乾燥剤包装体、食品包装体、食料品に添付される乾燥剤の検査方法、及び食品包装体の製造方法に関する。
【背景技術】
【０００２】
従来、食料品の包装工程において、食料品は高速ラインで包装され、短時間で多量に包装されている。このとき、吸湿による食品の劣化を防止するため、一般的には、食料品は乾燥剤とともに外装体に収容される（例えば、特許文献１）。ここで用いられる乾燥剤は、無色透明の非金属製フィルムに包装されているものであり、上述した包装工程においては、通常、目視によって乾燥剤の有無の検査が行われる。
【先行技術文献】
【特許文献】
【０００３】
【特許文献１】特開２００５−３５００９９号公報
【発明の概要】
【発明が解決しようとする課題】
【０００４】
しかしながら、乾燥剤の有無の目視による検査を高速ラインにおいて行うことには見落としの可能性があるため、時間をかけて検査を行う必要があり、これによって製造効率が低下し、更には人件費がかさむという課題があった。本発明は、これらの課題を解決するためになされたものであり、乾燥剤の有無を容易に、且つ確実に検査することが可能な、乾燥剤包装体、食品包装体、食料品に添付される乾燥剤の検査方法、及び食品包装体の製造方法を提供することを目的とする。
【課題を解決するための手段】
【０００５】
本発明に係る乾燥剤包装体は、食料品とともに外装体に収容される乾燥剤包装体であって、袋状に形成された包装材と、前記包装材に収容された乾燥剤と、を備え、前記包装材及び／又は乾燥剤の少なくとも一部に金属を有する。
【０００６】
本発明に係る乾燥剤包装体は、金属を有するため、食料品の包装を行う際に、金属探知機によって乾燥剤を検知することができる。したがって、乾燥剤の有無の検査を、製造効率を低下させることなく、確実に行うことができる。なお、本発明における食料品とは、少なくとも一部が包装された食品のほか、包装されずに、そのまま食することができる状態である食品も含む。
【０００７】
上記乾燥剤包装体においては、前記包装材を、金属を含むシート材で形成することができる。これにより包装材が金属を有するため、包装材の有無を金属属探知機によって検査することで、乾燥剤の有無を確認することができる。
【０００８】
金属を含むシート材の例としては、例えば、基材フィルム、不織布、紙等に金属が蒸着されたもの、金属箔、及び基材フィルムと金属箔とが積層したもの等を挙げることができる。ここで用いられる金属としては、例えば、アルミニウム、金、銀、亜鉛、鉄、銅、チタンとすることができる。
【０００９】
上記乾燥剤包装体においては、前記包装材は種々の構成が可能であるが、例えば、不透湿性のシート材で形成されるとともに、当該シート材に透湿可能な少なくとも１つの貫通孔を形成することができる。
【００１０】
上記乾燥剤包装体においては、前記乾燥剤を粉末状とすることができる。これにより、乾燥剤が収容された包装材が柔軟に変形することができるため、これを収容する外装体の形状に追従させることが可能となる。
【００１１】
本発明に係る食品包装体は、上述したいずれかの乾燥剤包装体と、食料品と、前記乾燥剤包装体及び食料品を収容し、金属を含まない外装体と、を備えている。
【００１２】
この構成によれば、食料品とともに上述した金属を有する乾燥剤包装体が外装体に収容されているため、食品包装体における乾燥剤の有無の検査を、金属探知機によって行うことができる。そのため、製造効率を低下させることなく、乾燥剤の有無を、確実に検査することができる。
【００１３】
上記食品包装体において、前記外装体は、紙製の箱、硬質性プラスチック容器及び袋状のシート材等、種々の態様を採ることができる。
【００１４】
前記外装体が袋状のシート材である上記食品包装体において、前記乾燥剤包装体の形状を偏平状とし、前記外装体の内面に固定することができる。外装体が袋状のシート材である場合、食料品の形状によって外装体が変形し、凹凸が形成されやすいが、前記乾燥剤包装体の形状を偏平状とし、前記外装体の内面に固定することによって、外装体において、乾燥剤包装体が固定されている部分では、外装体の外形が乾燥剤包装体によって平坦になり、凹凸が形成されるのを防止することができる。その結果、外装体の美観を向上させることができる。特に、外装体の当該部分に商品名、商品説明、イラストなどの表示が施されている場合には、これらの表示の視認性を向上させることができる。
【００１５】
このとき、前記食料品が筒状、球状または表面に凹凸を有する形状であり、前記食料品における、前記外装体の内面と当接する部位が平面状でない場合、外装体の美観を向上させるという効果が特に顕著になる。すなわち、例えば、食料品の形状が筒状である場合、その外形により、外装体の表面に角が形成されたり湾曲したりしやすくなる。そこで、上記のように、食料品と外装体の内面との間に、扁平状の乾燥剤包装体を固定すれば、外装体の表面形状が食料品の形状に関わらず平坦になり、外装体の外形の美観が向上する。
【００１６】
このとき、前記外装体の表面に、前記食料品に関する商品表示を表示し、前記扁平状の乾燥剤包装体を、前記外装体の内面において、前記商品表示と対応する位置に固定することができる。これにより、外装体において、商品表示を表示している部分の表面形状が食料品の形状に関わらず平坦になるため、外装体の外形の美観が向上するだけでなく、商品表示の視認性も向上する。
【００１７】
上記食品包装体において、前記外装体は、基材フィルムに、無機酸化物であるシリカまたはアルミナが蒸着されて袋状に形成されたシート材により形成することができる。このようにすると、外装体の水分の透過性が低下するため、外部から外装体内に水分が進入するのを防止することができる。その結果、外装体内における食料品に対する乾燥剤の防湿効果をさらに向上させることができる。なお、シリカやアルミナは、無機酸化物であり、公知の金属探知機の一般的な検出限界内においては検出できないため、本発明に係る「金属」には該当しない。
【００１８】
本発明に係る食料品に添付される乾燥剤の検査方法は、食料品と、上述したいずれかの乾燥剤包装体とを外装体に収容するステップと、前記外装体に収容された前記食料品及び乾燥剤包装体を金属探知機に通し、前記乾燥剤包装体の有無を検査するステップと、を備えている。
【００１９】
本発明に係る食品包装体の製造方法は、食料品を製造するステップと、前記食料品を第１金属探知機に通し、当該食料品中の金属の混入の有無を検査するステップと、上述したいずれかの乾燥剤包装体を準備するステップと、前記第１金属探知機による検査により金属が検知されなかった前記食料品と前記乾燥剤包装体とを外装体に収容するステップと、前記外装体に収容された前記食料品及び前記乾燥剤包装体を第２金属探知機に通し、前記乾燥剤包装体の有無を検査するステップと、を備えている。
【００２０】
この構成によれば、製造した食料品について金属混入を第１金属探知機で検査した後、この食料品とともに上述した乾燥剤包装体を外装体に収容し、再度第２金属探知機で検査を行っている。これにより、乾燥剤の有無を金属探知機によって検査することができる。なお、食料品に混入している金属の検査は外装体への収容前に行っているため、乾燥剤の有無の検査は、食料品中の金属混入の検査とは独立して行うことができる。つまり、従来乾燥剤に金属が含まれると、食料品中に混入した金属と乾燥剤とを、金属探知機により区別することができなくなってしまうため、食料品において金属が含まれるような乾燥剤は使用されなかったが、当該構成により食料品中の金属の混入と乾燥剤とを区別することができる上、乾燥剤の有無を金属探知機により容易に、且つ確実に検査でき、製造効率を向上させることができる。また、ここでいう「食料品を製造するステップ」とは、食品自体を製造するステップ（食品の加工も含む）のほか、食品の製造と包装を行うステップ、及び予め準備された食品を包装するステップを含む。
【発明の効果】
【００２１】
本発明によれば、乾燥剤の有無を容易に、且つ確実に検査することができる。
【図面の簡単な説明】
【００２２】
【図１】乾燥剤包装体の一実施形態を示す側面図（ａ）平面図（ｂ）、及び側面図（ａ）のＡ−Ａ'である断面図（ｃ）である。
【図２】乾燥剤包装体の包装材における、基材フィルムに金属層（金属箔）を積層させたシート材の断面図（ａ）、及び基材フィルムに、金属を蒸着させたシート材の断面図（ｂ）である。
【図３】本発明の一実施形態に係る食品包装体の断面図である。
【図４】図３のＡ−Ａ'断面図である。
【図５】図３の食品包装体の製造工程のブロック図である。
【図６】図５の製造工程を用いた製造方法を示すフローチャートである。
【発明の実施するための形態】
【００２３】
以下、本発明に係る乾燥剤包装体及び食品包装体の一実施形態について、図面を参照しつつ説明する。
【００２４】
＜１．乾燥剤包装体＞
まず、本実施形態に係る乾燥剤包装体２について図１を参照しつつ説明する。図１は乾燥剤包装体の側面図（ａ）、平面図（ｂ）及び断面図（ｃ）である。同図に示すように、この乾燥剤包装体２は、袋状に形成された包装材２１と、この包装材に収容された乾燥剤２３と、で構成されている。乾燥剤２３は、例えば、シリカゲル、石灰、塩化カルシウムなどを挙げることができ、顆粒状及び粉末状の乾燥剤であることが好ましく、特に、粉末状の乾燥剤が好ましい。乾燥剤２３を顆粒状とすると、乾燥剤を収容後の包装材２１を柔軟に変形させることができ、粉末状とすることで、乾燥剤２３を収容後の包装材２１の柔軟性がさらに向上する。そのため、後述する外装体３または食料品１の形状に追従するような変形が可能となる。
【００２５】
包装材２１は、乾燥剤２３を収容できるように、シート材により袋状に形成されている。図１に示すように、例えば、筒状のシート材の軸方向の両端部をシールすること（シール部２２）で密閉したものとすることができる。包装材２１を構成するシート材は種々の態様を取ることができるが、後述するように金属探知機で検知できるように金属を含む必要がある。例えば、図２（ａ）に示すように、基材フィルム２１１に金属層（金属箔）２１２及びシーラント層２１４を公知の方法で積層させたシート材を用いることもできる。基材フィルム２１１は、例えば、厚さが、５〜５００μｍのポリエチレンテレフタレート、ポリエチレン、ポリプロピレン、ポリエステル、ポリアミドなどを用いることができ、上述したような外装体３などへの追従効果を高めるという観点から、厚さは５〜１００μｍが好ましく、５〜５０μｍがさらに好ましい。積層させる金属箔２１２は、例えば、厚さが、好ましくは５〜５００μｍ、さらに好ましくは５〜２００μｍのアルミニウム系、銅系、ステンレス系、マグネシウム系、ニッケル系、鉄系などの箔を用いることができる。また、金属箔２１２としては、金属探知機により十分検知が可能である上、安価であることからアルミニウム箔が好ましい。前記シーラント層２１４は、例えば、厚さが１０〜５００μｍの、低密度ポリエチレン、直鎖状低密度ポリエチレンのほか、エチレン・αオレフィン共重合体、エチレン・酢酸ビニル共重合体、エチレン・アクリル酸共重合体、エチレン・アクリル酸エステル共重合体・アイオノマー、ポリプロピレンなどを使用することができる。また、包装材２１のシート材には、シーラント層を設けなくてもよく、例えば、接着剤によりシール部２２を接着することにより、筒状のシート材を密閉することもできる。
【００２６】
また、図２（ｂ）に示すように、上記基材フィルム２１１に、金属２１３を、例えば、厚さ１〜５００ｎｍ、好ましくは５〜２００ｎｍ、より好ましくは５〜１００ｎｍで蒸着させたシート材を用いることもできる。蒸着させる金属としては、アルミニウム、金、銀、亜鉛、鉄、銅、チタンなどを挙げることができる。また、金属を蒸着させたポリエチレンテレフタレート製の基材フィルムと、ポリエチレン製の基材フィルムとを積層させるというように、シート材は、金属を蒸着させた基材フィルムと、当該基材フィルムとは異なる素材の基材フィルムとを積層させたものでもよい。なお、基材フィルムに金属を蒸着させたシート材は、基材フィルムと金属層（金属箔）とを積層させたシート材よりも柔軟性が高いため、上述したような外装体３などへの追従効果は高く、好ましい。また、金属２１３を蒸着させた基材フィルム２１１に、上述のシーラント層２１４を積層させることもできる。
【００２７】
上記のような金属を含む包装材２１は不透湿性であるため、乾燥剤の吸湿性能を活かすためには、包装材２１に図１（ｂ）及び図１（ｃ）に示すような貫通孔２４を形成することが好ましい。貫通孔２４の径は、透湿可能であり、乾燥剤の粒径よりも小さいことが必要であり、包装材２１に針などを刺し込んで貫通孔２４を形成することができる。例えば、貫通孔２４の直径を、０．０５〜０．２ｍｍとすることができる。ここで、乾燥剤２３が収容された包装材２１の柔軟性を向上できるという点から、前記貫通孔２４は複数形成されていることが好ましく、包装材２１においてシール部２２を除くシート材１m2あたり、好ましくは１００００〜４００００個、さらに好ましくは３００００〜４００００個の貫通孔が設けられることが好ましい。
【００２８】
乾燥剤２３を収容後の包装材２１の形状は特には限定されず、筒状、角筒状、直方体状、扁平状にすることができる。但し、扁平状にすると、後述するように、外装体３が袋状のシート材である場合、外装体３の表面を平坦にできる効果があるため好ましい。
【００２９】
＜２．食品包装体＞
次に、本実施形態に係る食品包装体１０について、図３および４を参照しつつ説明する。食品包装体１０は、食料品１、上述の乾燥剤包装体２、及びこれら食料品１と乾燥剤包装体２とを収容する外装体３を有している。以下、各部材について詳細に説明する。
【００３０】
本実施形態に係る食料品１は、そのまま食することができるような食品自体であるほか、食品の少なくとも一部を包装したものであってもよい。食品は、乾燥剤との同梱が必要なものであれば特には限定されない。食品の包装は、例えば、袋状のシート材のような柔軟性のあるもののほか、硬質のプラスチックなどで形成された容器であってもよい。また、食料品１の形状も特には限定されず、円筒状、角筒状、直方体状、扁平状など、種々の形状にすることができる。例えば、図３及び図４に示すような蓋付きの円柱状の容器であってもよい。
【００３１】
続いて、外装体３について説明する。上述したように、外装体３は、食料品１と乾燥剤包装体２を収容できるものであれば、その態様は特には限定されない。例えば、袋状のシート材のほか、硬質のプラスチックや紙などで形成することもできる。但し、金属を含まない材料で形成される必要がある。
【００３２】
外装体３を袋状のシート材で形成する場合には、ポリエチレンテレフタレート、ポリエチレン、ポリプロピレン、ポリエステル、ポリアミドなどの基材フィルムで形成することができる。また、この基材フィルムに、無機酸化物であるシリカ、アルミナなどを１〜５００ｎｍ蒸着させたシート材とすることもできる。これは、シリカ等を蒸着させることで、外装体３の水分の透過性を低下させるためである。すなわち、水分の透過性が低下することで、外部の水分が外装体３内に進入するのを防止できるため、乾燥剤により、主として外装体３内に含まれる水分を吸収でき、食料品１に対する、乾燥剤の吸湿効果を向上させることができる。
【００３３】
外装体３の装飾は種々の態様とすることができる。例えば、外装体３の一部を透明にし、他の部分を着色することで、透明部分から内部の食料品１が見えるようにした窓を設けることができる。また、外装体３の表面に、商品名、イラストなどの装飾表示、あるいは食品の成分表などの表示を施すことができる。
【００３４】
また、外装体３に収容される乾燥剤包装体２は、接着剤などで外装体３の内面に固定することができる。このとき、乾燥剤包装体２は、商品名、イラスト、成分表などの表示の裏面に固定することができる。このようにすると、外装体３の表面形状が、乾燥剤包装体２の形状に追従するようになる。そのため、乾燥剤包装体２を外装体３の内面に固定しやすくなるだけでなく、例えば、乾燥剤包装体２を扁平状にすると、外装体３の表面形状が平坦になり、外装体の美観を向上させることができ、さらには、商品名などの表示が視認しやすくなるという利点がある。また、食料品１の形状によって外装体３の表面が変形するのを防止するため、図４に示すように、食料品１と外装体３の内面との間に、乾燥剤包装体２を配置することが好ましい。また、外装体３に透明の窓を設ける場合には、乾燥剤包装体２が窓から見えないように、窓が形成されていない、着色部分に固定することが好ましい。このような着色部分のなかでも、食品包装体をスーパーなどで陳列した際に見える部分に位置する商品表示の裏面に固定されていることが好ましい。
【００３５】
＜３．食品包装体の製造工程及び製造方法＞
次に、食品包装体１０の製造方法の一実施形態について、図５及び図６を参照しつつ説明する。図５は製造工程のブロック図であり、図６は製造方法を示すフローチャートである。ここでは、食料品１として、硬質プラスチック容器に食品を収容したものを例として説明する。
【００３６】
まず、食品包装体を製造する製造工程について説明する。図５に示すように、この製造工程は、食料品１を製造する製造装置１０１を備えている。この製造装置１０１は、硬質プラスチック容器に食品を充填し、蓋を取付けて密閉するものである。充填する食品は、この製造装置１０１において製造してもよいし、他の装置で製造したものをこの装置に搬送し、硬質プラスチック容器に充填することもできる。この製造装置１０１の下流には、第１金属探知機１０２が配置されている。第１金属探知機１０２は、製造装置１０１から搬送される食料品１内に金属が混入していないかを調べるためのものであり、公知のものを用いることができる。また、この金属探知機１０２は、金属が混入していると判断された食料品を分別できる機能を備えている。
【００３７】
また、この製造工程には、食料品１の製造及び検査と並行して、上述した外装体３を構成するシート材をロールから繰り出すための繰り出し装置１０３が設けられている。シート材には、外装体３の外面に対応する面に、商品名、イラストなどの表示が印刷されているほか、透明窓を設けることもできる。そして、この繰り出し装置１０３の下流には、乾燥剤包装体２を接着剤によりシート材に貼り付けるための貼付装置１０４が配置されている。ここでは、予め準備された乾燥剤包装体２を繰り出されたシート材に所定間隔をおいて連続的に貼り付ける。このとき、乾燥剤包装体２は、シート材において所望の位置に位置決めされる。所望の位置とは、外装体３の内面であって、例えば、上述したように、平坦にすべき表示の裏面である。そして、この貼付装置１０４の下流には、第１金属探知機１０２を通過した食料品１を、乾燥剤包装体２が貼り付けられたシート材によって包装するための包装装置１０５が配置されている。
【００３８】
この包装装置１０５では、繰り出されたシート材によって食料品１を連続的に筒状に包装し、その軸方向の両端部をシールした後、切り離すことで、個別の食品包装体１０を連続的に形成している。そして、この包装装置１０５の下流には、第２金属探知機１０６が配置され、包装装置１０５で形成された食品包装体１０の検査を行うようになっている。第２金属探知機１０６は、第１金属探知機１０２と同様に金属を検知するものではあるが、金属を有さないと判断された食品包装体１０を、分別できる機能を備えている。このような金属探知機は、非鉄金属や鉄系金属を検知可能な公知のものであり、例えば、株式会社イシダ製ＩＤ３Ｇ−３０００／４５００-ＰＢを用いることができ、このような金属探知機の検出感度で、上述したように構成された包装材の金属を検知することができる。
【００３９】
続いて、上記のように構成された製造工程による食品包装体の製造方法について、図６を参照しつつ説明する。まず、食料品１を製造する（Ｓ１）。次に、製造された食料品１を第１金属探知機１０２に通し、金属の混入を検査する（Ｓ２）。このとき、金属が検知された場合には（Ｓ２のＹＥＳ）、その食料品１を製造工程から分別し、破棄する（Ｓ３）。一方、金属の混入が検知されなかった場合には（Ｓ２のＮＯ）、この食料品１を外装する。すなわち、上述したように、乾燥剤包装体２が貼り付けられた外装体３用のシート材により、食料品１を包装し、食品包装体１０を形成する（Ｓ４）。
【００４０】
これに続いて、食品包装体１０を第２金属探知機１０６に通し、金属の混入を検査する（Ｓ５）。このとき、金属が検知されなかった場合には（Ｓ５のＮＯ）、乾燥剤包装体２が同梱されていないと判断されるため、その食品包装体１０を製造工程から分別し、破棄する（Ｓ６）。もしくは、内部の食料品１のみを取り出して再度、外装体により包装を行ってもよい。一方、金属が検知された場合には（Ｓ５のＹＥＳ）、乾燥剤包装体２が同梱されていると判断されるため、この食品包装体１０は出荷される（Ｓ７）。
【００４１】
以上のように、本実施形態によれば、食料品１とともに、上述した金属を含む乾燥剤包装体２が外装体３に収容されているため、乾燥剤の有無の検査を、金属探知機１０６によって行うことができる。そのため、製造効率を低下させることなく、乾燥剤の有無の検査を、確実に行うことができる。
【００４２】
＜４．変形例＞
以上、本発明の一実施形態について説明したが、本発明は上記実施形態に限定されるものではなく、その趣旨を逸脱しない限りにおいて、種々の変更が可能である。例えば、上記実施形態では、乾燥剤包装体２の包装材２１を、金属を含むシート材で形成しているが、これ以外の方法で乾燥剤包装体に金属を含ませてもよい。例えば、包装材２１を金属を含む材料で形成するのではなく、包装材２１の内部に、乾燥剤とともに金属を混入させることもできる。具体的には、鉄やステンレスなどの金属片または金属粒子を乾燥剤とともに包装材２１に収容することもできる。このとき、乾燥剤２３に金属を混入させるとともに、上述したように金属を含む材料で包装材２１を形成することもできる。ただし、乾燥剤とともに金属を混入させる場合、乾燥剤包装体２の製造時の工数が増加し、さらに、金属と乾燥剤の混合が十分でない場合、金属が含まれていない乾燥剤包装体２が生じ、乾燥剤の有無を金属探知機により検知できない可能性が生じるため、乾燥剤包装体２の包装材２１を、金属を含むシート材で形成することが好ましい。
【符号の説明】
【００４３】
１  食料品
１０  食品包装体
２  乾燥剤包装体
２１  包装材
２１１  基材フィルム
３  外装体
２２  シール部
２３  乾燥剤
２４  貫通孔
【図１】
2014189322.tif 000003
【図２】
2014189322.tif 000004
【図３】
2014189322.tif 000005
【図４】
2014189322.tif 000006
【図５】
2014189322.tif 000007
【図６】
2014189322.tif 000008